【手続補正書】
【提出日】平成16年6月4日(2004.6.4)
【手続補正１】
【補正対象書類名】明細書
【補正対象項目名】全文
【補正方法】変更
【補正の内容】
【書類名】      明細書
【発明の名称】  遊技機
【特許請求の範囲】
【請求項１】
支持枠体に支持され遊技者が対面して遊技を行う遊技面を備えた遊技台と、
同遊技台に対して開閉可能に支持され同遊技面の前方に配置される扉枠と、
外部から供給されるパチンコ球を貯留するとともに下流位置に形成されたパチンコ球流出口から同パチンコ球を払い出し機構に導くタンクと、
同払い出し機構を経由して貸与されるパチンコ球に基づいて遊技者が前記遊技面にて所定の遊技を享受できるようにした遊技機において、
前記タンク内のパチンコ球流出口から離間した上流位置であってなおかつタンクを包囲する壁部位置にレバー部材を装着し、同タンク内に供給されるパチンコ球によって同レバー部材が押動されることで同タンクの外部位置に配設された検出装置をオン又はオフ状態としパチンコ球の有無を検出するようにしたことを特徴とする遊技機。
【請求項２】
前記レバー部材には前記タンク外に延出される押圧部材が形成され、同レバー部材がパチンコ球によって押動されると同押圧部材を介して前記検出装置の入力スイッチが直接入力されることを特徴とする請求項１に記載の遊技機。
【請求項３】
前記レバー部材はパチンコ球がタンクと同レバー部材の間に挟まれない程度にのみ移動が許容されることを特徴とする請求項１又は２に記載の遊技機。
【発明の詳細な説明】
【０００１】
【発明の属する技術分野】
本発明は、パチンコ遊技機やパチロット等のパチンコ球を使用する遊技機に関し、特に外部からタンクに随時パチンコ球を供給するようにした遊技機に関するものである。
【０００２】
【従来の技術】
例えばパチンコ球を使用する遊技機の一種であるパチンコ遊技機では遊技者の所作によってパチンコ球が払い出し機構から流下するようになっている。遊技者の所作とは具体的には遊技をするためにプリペイドカードによってパチンコ球の払い出しを要求したり、遊技者が実際の遊技において遊技球を入賞させたことによってパチンコ球（賞球）を払い出す場合である。払い出し機構は所定の量のパチンコ球を送り出すという構造上の制限からパチンコ球は直列に配置されそれほど多くのパチンコ球を貯留することはできない。そのため払い出し機構の上流側にはタンクが配設され、タンクレールを経由して払い出し機構における払い出しが途切れることのないように常にタンクからパチンコ球が供給されるようになっている。
一般にタンクには基本的にパチンコホールの各島ごとにセットされたパチンコ球供給装置からパチンコ球が供給されるようになっている。タンクは常に途切れることなく払い出し機構にパチンコ球を供給する一方で自身はパチンコ球供給装置から供給されるパチンコ球を溢れさすことのないように制御されていなければならない。そのため一般にタンクにはパチンコ球の有無を検出する検出装置としての球切れセンサが配設され検出作動部材としてのレバーがパチンコ球によって押動されることでパチンコ球の有無を判断するようになっている。そして、パチンコ球が無いと判断した場合に初めてパチンコ球供給装置からタンクにパチンコ球が供給されるようになっている。
【０００３】
【発明が解決しようとする課題】
ところで、従来ではこのようなタンクのレバーはパチンコ球流出口に隣接して設けられている。これは次のような理由による。
１）すべてのタンクに供給されたパチンコ球は最終的にはパチンコ球流出口に集まるため、この位置においてパチンコ球を検出しなくなればパチンコ球の補充が必要であると確実に判断できること
２）レバーはパチンコ球の重みで押動されることからタンクの底部に形成すると考えるのが好ましいと考えると同時にパチンコ球流出口もタンクの底部に形成されることから１）の理由と併せてごく自然にパチンコ球流出口に隣接して設けるようになった。
３）球切れセンサをタンクの底面に配設することができる。
しかし、このようなレバーと球切れセンサの位置に関しては次のような問題が生じていた。
１）連続的な入賞が生じた場合には払い出し機構は短時間で大量のパチンコ球を払い出しする場合がある。しかし従来では球切れセンサはパチンコ球流出口に隣接する位置に配設されているため球切れを検出したときにはすでにタンク内はまったくパチンコ球がからっぽで直ちに賞球を払い出しできないという不具合が生じるおそれがある。
２）一般に外部出力基盤は保守・点検の便宜から上方位置に配設されている。そのためこの基盤からタンクの背面に配設された球切れセンサまで給電のための配線が長くなってしまう。結果として構造が複雑化し故障も生じやすくなってしまう。また、球切れセンサをタンク自身（背面）に装着していたためタンクの着脱の際に球切れセンサへの配線も着脱する必要があり作業が面倒であった。
３）球切れセンサが故障して交換が必要となった際に球切れセンサは作業しにくいタンクとタンクレールの隙間に配設されていることからこれを単独では取り外すことが困難でタンクも一緒に取り外さなければならなかった。
４）従来では球切れセンサはタンク背面に配設されている。そのためタンクとタンクからのパチンコ球を払い出し機構に導くタンクレールとの間に球切れセンサを配設できるだけの隙間が必要となり、これがパチンコ遊技機の構造上の制限となっていた。
本発明は、このような従来の技術に存在する問題点に着目してなされたものである。その目的とするところは、パチンコ球の減少をいち早く察知できるとともに着脱作業が容易なタンクを備えた遊技機を提供することにある。
【０００４】
【課題を解決するための手段】
上記の目的を達成するために、請求項１に記載の発明では、支持枠体に支持され遊技者が対面して遊技を行う遊技面を備えた遊技台と、同遊技台に対して開閉可能に支持され同遊技面の前方に配置される扉枠と、外部から供給されるパチンコ球を貯留するとともに下流位置に形成されたパチンコ球流出口から同パチンコ球を払い出し機構に導くタンクと、同払い出し機構を経由して貸与されるパチンコ球に基づいて遊技者が前記遊技面にて所定の遊技を享受できるようにした遊技機において、前記タンク内のパチンコ球流出口から離間した上流位置であってなおかつタンクを包囲する壁部位置にレバー部材を装着し、同タンク内に供給されるパチンコ球によって同レバー部材が押動されることで同タンクの外部位置に配設された検出装置をオン又はオフ状態としパチンコ球の有無を検出するようにしたことをその要旨とする。
請求項２に記載の発明では請求項１に記載の発明の構成に加え、前記レバー部材に前記タンク外に延出される押圧部材を形成し、同レバー部材がパチンコ球によって押動されると同押圧部材を介して前記検出装置の入力スイッチが直接入力されるようにしたことをその要旨とする。
請求項３に記載の発明では請求項１又は２に記載の発明の構成に加え、前記レバー部材をパチンコ球がタンクと同レバー部材の間に挟まれない程度にのみ移動が許容されるようにしたことをその要旨とする。
【０００５】
上記発明のような構成では、タンク内の球流出口から離間した上流位置であってなおかつ壁部位置に配設されたレバー部材がタンク内のパチンコ球に押動されることによってタンクの外部位置に別体として配設された検出装置がオン又はオフ状態とされパチンコ球の有無が検出される。
【０００６】
【発明の効果】  請求項１に記載の発明では、検出装置をタンクの検出作動部材と連動しうる外部位置に配置させたためタンク自体に検出装置を配設することがなくなりタンクの装着作業及び検出装置の交換作業における作業効率が向上する。また、レバー部材はパチンコ球によって側方から押動されるだけで従来のように貯留されたパチンコ球の重量が一気にかかるということがないのでレバー部材の故障や破損が少なくなる。
【０００７】
【発明の実施の形態】
以下、本発明をパチンコ遊技機に応用した実施の形態について図面に基づいて説明する。特に本実施の形態では従来に比べて遊技面を大型化したパチンコ遊技機に本発明を化体させて説明する。ここに「従来に比べて大型化した遊技面を備えたパチンコ遊技機」とは遊技者の興趣をより盛り上げるために遊技面を大型化した機種であり、遊技面が大型化することにより遊技面中央に配置される表示装置の液晶画面を大きくすることが可能となり、迫力ある大画面を遊技者は享受でき遊技者に対するアピール度が増すことができる機種である。更に、同機種では遊技面が大きくなるため左右方向への遊技球（パチンコ球）の拡散度が大きくなり遊技自体の視覚的な刺激が増すこととなり、落下する遊技球の落下距離も長くなるため遊技球が入賞口に入賞するかどうかの期待感も増すこととなるものである。
尚、以下の説明においては前面、前方或いは表面側とは遊技者が正対する側をいい、後面、後方或いは背面側とはそれら正対する側の反対側をいう。また、特記なき限り左右とは前面からみた左右方向をいう。
【０００８】
図１〜図４に示すように、パチンコ遊技機の支持枠体としての外枠１は上下左右の各枠板１ａ〜１ｄによって四角形に枠組みされた木製の枠体とされている。下部枠板１ｂ上面には幕板２が配設されている。
外枠１には遊技台としての遊技機本体４が装着されている。遊技機本体４はパチンコ遊技機の構造的な中核を形成するパネル状の構成部材であってヒンジ金具６の回動軸６ａを中心に回動し外枠１に対して図２に示す開閉用金具４ａによって開閉可能にかつ着脱可能に装着されている。
図２に示すように、遊技機本体４を中心としてその他のパネル状の構成部材がその前後方向に積層状に配置されている。まず図２に基づいて各構成部材の概略の配置状態とそれらに付随する主要構成部材について説明し、次いで個々の構成部材について詳述する。
遊技機本体４の上半身に形成された遊技盤取り付けスペース９には遊技盤５が嵌合されている。遊技盤５の前方には扉枠７が配設されている。扉枠７の上方位置にはガラス窓Ｇが嵌合されており、同ガラス窓Ｇの下方位置にはパチンコ球受け皿としての上受け皿８が形成されている。
遊技盤５の後方位置には遊技盤５を背面から覆うように機構盤１０が配設されている。機構盤１０の直下には基板取り付けベース１１が配設されている。遊技盤５の下方位置にはカバープレート１３が配設されている。カバープレート１３は遊技機本体４に対して固着されている。カバープレート１３には前方に突出形成した下受け皿１４が形成されている。カバープレート１３は従来の機種における下部カバープレートに相当する。単にカバープレート１３としたのは本実施の形態では上受け皿８の扉枠７側への移動に伴って本来上受け皿８が配設される上部カバープレートが不要となっているからである。下受け皿１４の右側方には操作ハンドル１５が取付けられている。
【０００９】
まず、遊技機本体４及び遊技盤５について説明する。
図１、図６及び図７に示すように、遊技機本体４の上半身には横架フレーム１８及び左右の縦フレーム１９によって額縁状に縁取られた遊技盤取り付けスペース９が形成されている。遊技盤取り付けスペース９の下方は図２、図９及び図１１に示すようにパチンコ球処理領域２１とされ、同パチンコ球処理領域２１の下方には更にパチンコ球発射機構２３及び音響機構２４が配設されている。遊技盤５はパチンコ球処理領域２１の天板２２上に載置され遊技盤取り付けスペース９に嵌合されている。図５に示すように、遊技盤５は略正方形のパネル体であって、遊技盤５の前面にほぼ垂直に配置された遊技面２０上には内レール２５及び外レール２６によって包囲された略円形の遊技領域２７が形成されている。遊技領域２７内には入賞口２８及び可変表示装置２９等が所定位置に配設されている。内レール２５の最下部位置にはアウト球回収口３０が形成されている。遊技が終了して入賞口２８に入賞しなかったパチンコ球（遊技球）はアウト球としてアウト球回収口３０から後方に退場する。尚、釘については図示が省略されている。図６及び図７に示すように、遊技盤取り付けスペース９前面には前記遊技領域２７に応じた形状に縁取られた幕板３１が形成されている。幕板３１は天板２２上に載置された遊技盤５を保持するとともに前方への脱落を防止する機能を有する。
図３及び図５に示すように遊技領域２７は出願人の従来の機種（上受け皿が遊技機本体側に配設されているもの）と比較して大径とされるとともに、可変表示装置２９の表示画面２９ａも大型化して遊技領域２７内においてかなり大きな面積を占めている。これは上受け皿を遊技盤の下方位置に移動させることで上受け皿に関する機構を分散でき、その結果遊技盤を上下方向により長く構成することができるようになったことが主たる理由である。
【００１０】
図９及び図１０に示すように、遊技盤５の背面であって可変表示装置２９の上方位置には第１のランプ中継基板３５が配設されている。第１のランプ中継基板３５は遊技面２０に配設された部材（可変表示装置２９や入賞口２８等）へのメイン基板３３からの給電の中継点とされる。ランプ中継基板３５の図９における右方には第１の外部出力基板３６が配設されている。第１の外部出力基板３６はパチンコ遊技機が設置されるホールの島側への出力基板とされる。第１の外部出力基板３６の図９における右方には第２のランプ中継基板３７が配設されている。第２のランプ中継基板３７は扉枠７に配設された後述する装飾パネル７６へのメイン基板３３からの給電の中継点とされる。
図９に示すように、遊技盤５の背面であって可変表示装置２９の下方位置には３箇所にセーフ球集合樋３２が配設されている。セーフ球集合樋３２の下方にはセーフ球集合板３４が配設されている。セーフ球集合樋３２は入賞したパチンコ球（セーフ球）が遊技領域２７から退場後に通過する背面側の通路であって、セーフ球集合樋３２に導かれたセーフ球はセーフ球集合板３４の内部（遊技盤５との間でなす隙間）を通過して下方に落下する。
図１０に示すように、セーフ球集合樋３２及びセーフ球集合板３４の背面にはメイン基板３３が配設されている。メイン基板３３には遊技内容に応じたプログラムやこれを起動させるためのプログラム等が個々の機種に応じて封印されて配設されている。
【００１１】
次に遊技盤５のパチンコ球処理領域２１の周辺の構造について説明する。
パチンコ球処理領域２１には後述する払い出し機構４０から供給されるパチンコ球を前面（遊技者側）に導く導入通路４５とパチンコ球を外部に導く排出通路４６とが配設されている。まず導入通路４５について説明する。
導入通路４５は上受け皿８にパチンコ球を導く主通路４７と上受け皿８が一杯になった場合に下受け皿１４方向にオーバーフローしたパチンコ球を導くバイパス通路４９とを備えている。
図９及び図１０に示すように主通路４７は遊技機本体４の背面側の導入口５０から図１及び図１１に示すように遊技機本体４の表面側の導出口５１に連通されている。
図１及び図１１に示すように、導出口５１にはフラップ５５が立設されている。フラップ５５は回動可能に軸支されるとともに図示しないバネによって立設方向に付勢されている。図１２に示すように、扉枠７を閉鎖することで後述する差し込み受け皿５７が導出口５１から主通路４７内に差し込まれることとなる。差し込み受け皿５７の差し込みに伴ってフラップ５５は倒伏させられるとともに、導出口５１方向への橋が架けられることとなる。この状態で主通路４７内を流下してきたパチンコ球は差し込み受け皿５７上に流入し、更に導出口５１から上受け皿８に導かれることとなる。一方、扉枠７を開放した際にはフラップ５５はバネの付勢力によって起立位置に復帰するため主通路４７を流下するパチンコ球はこのフラップ５５によって導出口５１からの外部への飛び出しが防止される。
図８〜図１０及び図１３に示すようにバイパス通路４９は遊技機本体４の背面側に導入口５２を備え遊技機本体４前面に配設されたオーバーフロー通路としての下受け皿用通路５３内に連通されている。尚、バイパス通路４９は内部で主通路４７と連通状態とされているため、当初からオーバーフローしたパチンコ球だけでなく主通路４７内でオーバーフローした場合にもバイパス通路４９側に誘導されることとなっている。
図１及び図１１に示すように、下受け皿用通路５３の下方にはセンサ収納部６６が併設されている。センサ収納部６６内には図示しないリミットスイッチが配設されている。そして下受け皿１４がパチンコ球で一杯になって下受け皿用通路５３側に溢れた際にこれを検出して後述する払い出し装置１２４からの賞球（パチンコ球）の放出を休止させる。センサ収納部６６の右方には後述する迂回通路８９（図１参照）と接続され上受け皿８からのパチンコ球を下受け皿１４に回避させるための連絡通路１０４が形成されている。
【００１２】
次に排出通路４６について説明する。図８〜図１０に示すように、排出通路４６はアウト球回収口３０から落下してくるアウト球及びセーフ球集合板３４から落下してくるセーフ球を受け止めて下流（図１１では右方）に流下させる第１の傾斜面５８と、第１の傾斜面５８を流下するアウト球及びセーフ球を受け止めて流下方向を逆転させて（図１１では左方）中央寄りにアウト球及びセーフ球を導く第２の傾斜面５９とを備えている。第２の傾斜面５９の下端には図示しない外部レールと連通する排出口６０が形成されている。
【００１３】
次に、パチンコ球発射機構２３について説明する。図１、図８〜図１１に示すように、遊技機本体４の右下方寄り（背面から見ると左下方寄り）にはパチンコ球発射機構２３が配設されている。パチンコ球発射機構２３は前記操作ハンドル１５、発射ハンマ６３、モータ装置６４、図示しない発射カム，図示しないコイルバネ等から構成されている。
モータ装置６４は遊技者が操作ハンドル１５のハンドルリング１５ａに触れていることを条件に所定タイミング（本実施の形態では一分間に１００回の割合）で回転する。モータ装置６４の回転軸には発射カムが固着され、発射カムが回転することによりコイルバネの付勢力に抗して 発射ハンマ６３を回動させる。発射ハンマ６３は回転した発射カムと非係合となることによってコイルバネの付勢力によって一瞬に元の位置に戻ることとなる。この時の勢いによって遊技球が発射される。操作ハンドル１５のハンドルリング１５ａを回動させることでコイルバネの付勢力を制御し、発射ハンマ６３のパチンコ球（遊技球）への当接速度を調節するようになっている。
図１及び図１１に示すように、前記下受け皿用通路５３の右方には発射案内レール６５が配設されている。発射案内レール６５の下端（右端）は前記発射ハンマ６３の側方に配置され、発射ハンマ６３の進退方向と重複して左斜め上方に向かって延出されている。発射案内レール６５の取り付けリブ６５ａには発射案内レール６５上にセットされた遊技球を下方から支持するストッパ７９が固着されている。
カバープレート１３の下受け皿１４の左方には灰皿７２が配設されている。本実施の形態ではこの灰皿７２の背面に前記音響機構２４の図示しないスピーカが配設されている。図１１に示すように、発射案内レール６５の右方には鍵穴７３が形成されている。この鍵穴７３は遊技機本体４に対する扉枠７の開閉をつかさどるものである。
【００１４】
次に、扉枠７について詳述する。
図１〜図４に示すように、遊技盤５の前面には扉枠７が配設されている。扉枠７はヒンジ金具６の回動軸６ａを中心に回動し（つまり遊技機本体４の回動軸と同軸で）遊技機本体４に対して開閉可能にかつ着脱可能に装着されている。扉枠７は略長方形の外形を有し、中央にほぼ円形の大型の窓穴７５が形成されている。窓穴７５には遊技盤５の遊技面９を露出させるためのガラスＧがはめ込まれている。扉枠７の前面側であって窓穴７５の周縁には装飾用の装飾パネル７６が所定位置に配設されている。各装飾パネル７６内には図示しないランプが配設されメイン基板３３による制御に基づいて点滅させられる。
扉枠７の下方位置には上受け皿８が配設されている。図３及び図１４に示すように、上受け皿８には上流側（左側）の扉枠７壁面に形成されたパチンコ球導入口８３から導入されたパチンコ球がプールされると同時に徐々に下流側に流下して狭窄通路８４に至る。パチンコ球は同狭窄通路８４最下流に配置された供給口８５から扉枠７の背面側に導かれ、遊技球案内通路８７を経由して前記発射案内レール６５上に落下させられる。遊技球案内装置８７の側方には上受け皿８に溜まったパチンコ球を遊技者の操作で自主的に下受け皿１４に回避させる際の迂回通路８９が形成されている。
図１に示すように、パチンコ球導入口８３の扉枠７の対応する背面位置には前記差し込み受け皿５７が後方に向かって突設形成されている。差し込み受け皿５７は扉枠７が遊技機本体４前面に装着された状態で前記導出口５１から開放空間５４に差し込まれパチンコ球処理領域２１から供給されたパチンコ球をパチンコ球導入口８３から上受け皿８に導く。前記操作ボタン７７及び表示パネル７８の背面側には球貸し用基板が内蔵された球貸し用基板ボックス８８が配設されている。
【００１５】
次に、機構盤１０について説明する。尚、以下の機構盤１０に関する説明においては左右とは背面側（例えば図８）からみた左右方向を言うものとし、前とは背面側からみて手前側を言うものとする。
図２、図４、図８及び図１３に示すように、遊技盤５の背面側には機構盤１０が遊技機本体４及び遊技盤５に対して開閉可能に装着されている。機構盤１０は上下に配設されたヒンジ部９０（本実施の形態では下側のみ表示）によって遊技機本体４に支持されるとともに、遊技盤５の背面に対して散点的に配置された開閉ピン９１及びクリップ９２の操作によって開閉可能とされている。
図８及び図１５に示すように、機構盤１０はＬ字状の機構盤ベース９３を備えている。機構盤ベース９３は上部横架部９３ａと上部横架部９３ａの右端から下方に下降する立設部９３ｂとから構成されている。上部横架部９３ａ前面にはタンク９５及びタンクレール９６が装着され立設部９３ｂ前面には払い出し機構としての払い出しユニット９７が装着されている。これら各部材の構造については詳しく後述する。上部横架部９３ａの下方（立設部９３ｂの側方）にはカバー９８が突設形成されている。カバー９８は遊技機本体４に対して機構盤１０が閉塞された状態で遊技盤５の背面に露出される可変表示装置２９を覆う（メイン基板３３は目視確認のために覆われない）役割を成す。
【００１６】
機構盤１０の上部にはタンク９５が配設されている。図１５及び図１６に示すように、タンク９５は平面形状長方形の底部１０１と同底部１０１の周縁から上方に立ち上がる壁部１０２とから構成されている。壁部１０２は前後に配置された長壁１０２ａと左右に配置された短壁１０２ｂとから構成されており、これら長壁１０２ａ及び短壁１０２ｂによって四方から内部空間が包囲されている。本実施の形態では従来の機種に比べて遊技盤５が上方にも拡張されているためタンク９５は従来の機種に比べて若干浅めに形成されている。
図１５及び図１６に示すように、底部１０１の左方側であってかつ後方側にパチンコ球流出口１０４が形成されている。パチンコ球流出口１０４の上方には同パチンコ球流出口１０４の大部分を覆う棚板１０５がわずかに右方下がりの傾斜となるように配置されている。同棚板１０５右端から底部１０１にかけて斜板１０６が配置されている。斜板１０６は急な右方下がりの傾斜となるように配置されていおり、ホールの島ごとにセットされたパチンコ球供給装置から棚板１０５上に供給されるパチンコ球を速やかに底部１０１方向に導くことが可能となっている。底部１０１は全体としてわずかに左下がりの傾斜に形成されるとともにパチンコ球流出口１０４に面した部分については後方下がりの傾斜（つまりパチンコ球流出口１０４に向かって落下するように）が形成されている。すなわち、図１６に示すように棚板１０５に落下したパチンコ球は他に干渉するものがなければ同図に示すような軌跡に準じてパチンコ球流出口１０４に向かう。この軌跡によれば棚板１０５及び斜板１０６によってパチンコ球は一旦パチンコ球流出口１０４とは逆方向に誘導されるため底部１０１に至ったパチンコ球は拡散しやすくなっており、球詰まりが生じにくくなる。
図８及び図１６に示すように、タンク９５は機構盤ベース９３の上部横架部９３ａに形成された横長の取り付け凹部９９に嵌合された状態で左右の短壁１０２ｂに形成された取り付け板１０７を介して図示しないビスによって着脱可能に固定されている。
【００１７】
前記右側の短壁１０２ｂには基部寄り（後方寄り）に切り欠き１０９が形成され、同切り欠き１０９をタンク９５内部から封塞するように検出作動部材としてのレバー部材１１０が回動可能に配設されている。図１７（ａ）及び（ｂ）に示すように、レバー部材１１０は回転軸部１１１、本体１１２及び押圧部１１３から構成されている。回転軸部１１１には軸となるピン１１４が挿通されており、図１５及び図１８に示すように同ピン１１４によってレバー部材１１０は右側の短壁１０２ｂ上端に形成された軸受け１１６に回動可能に支持されている。本体１１２は略方形の平板とされ短壁１０２ｂの内面に当接可能とされている。押圧部１１３は本体１１２から側方に向かって延出され、レバー部材１１０の短壁１０２ｂへの装着状態において切り欠き１０９を通して外側に突出させられている。
タンク９５の右方であって上部横架部９３ａには凹部１１７が形成され、同凹部１１７には遊技盤５に装着されたクリップ９２を固定するための透孔１１８が形成されている。凹部１１７の下方には前記第１の外部出力基板３６を露出させるための開口部１００が形成されている。
【００１８】
タンク９５と同凹部１１７の間（つまりタンク９５固定用の取り付け板１０７が取り付けられている位置）はリミットスイッチ収容部１１９とされている。リミットスイッチ収容部１１９内には検出装置（球切れセンサ）としてのリミットスイッチ１２０が配設されている。リミットスイッチ収容部１１９は要は取り付け凹部９９と凹部１１７に挟まれた機構盤ベース９３（上部横架部９３ａ）の一部であって、裏面側は開放状態にある。従って、リミットスイッチ収容部１１９へのリミットスイッチ１２０の着脱作業は遊技盤５に対して機構盤１０を開き、機構盤１０の裏面側（パチンコ遊技機としては前面側）から行うこととなる。リミットスイッチ１２０はリミットスイッチ収容部１１９に収容された状態でタンク９５固定用の取り付け板１０７と前後に重複状態となるような位置関係とされる。
リミットスイッチ１２０にはパチンコ球の検出・非検出状態を認識するための入切スイッチとしてのプッシュボタン１２１が設けられている。プッシュボタン１２１は内部の（図示しない）スプリングによって外方に向かって付勢されている。尚、リミットスイッチ１２０と前記第１の外部出力基板３６とは図示しない配線によって接続されている。リミットスイッチ１２０のリミットスイッチ収容部１１９への収納状態においてプッシュボタン１２１はリミットスイッチ収容部１１９左方に形成された切り欠き１２２からタンク９５の右側の短壁１０２ｂ側に向かって露出されている（図２０（ａ）及び（ｂ）参照）。前記レバー部材１１０の押圧部１１３は同切り欠き１２２からリミットスイッチ収容部１１９内部（つまり上部横架部９３ａの裏面側）まで進出して配置されており、プッシュボタン１２１に当接すると同時に同プッシュボタン１２１によって付勢状態とされている。すなわち、図２０（ｂ）に示すようにプッシュボタン１２１と当接するレバー部材１１０はプッシュボタン１２１の付勢力によって同図における反時計方向にわずかに回動させられている（つまり自重だけではプッシュボタン１２１の付勢力に抗し得ない。この状態でリミットスイッチ１２０はオン状態とされる）。一方、図２０（ａ）に示すようにタンク９５内においてレバー部材１１０と接する位置にパチンコ球が貯留されている場合にはレバー部材１１０はパチンコ球に押されてプッシュボタン１２１の付勢力に抗して同図における時計方向回動させられる。そして、プッシュボタン１２１はオフ状態とされる。
ここに、図２０（ａ）及び（ｂ）において、反時計方向への回動においてはレバー部材１１０の回転軸部１１１が回動に伴って短壁１０２ｂ上端と干渉するため必要以上に回動することが制限されている。逆に時計方向への回動においてはレバー部材１１０の本体１１２が短壁１０２ｂの内面に当接するためこれも必要以上にプッシュボタン１２１を押圧するのが防止されている。
【００１９】
タンクレール９６はタンク９５のパチンコ球流出口１０４から落下したパチンコ球を二列縦隊に整列させて図８において左方から右方に流下させるようになっている。タンクレール９６とタンク９５との間隔は従来の機種に比べてごく狭くなっている。図８及び図１６に示すように、タンク９５及びタンクレール９６の右側方には第２の外部出力基板１２３が配設されている。第２の外部出力基板１２３は遊技盤５への出力基板とされる。
タンクレール９６の右方であって立設部９３ｂには払い出しユニット９７が配設されている。払い出しユニット９７は払い出し装置１２４と、パチンコ球を払い出し装置１２４に導く第１の流路１２５と、パチンコ機の廃棄等によってパチンコ機を島から取り外す際に同第１の流路１２５内の球抜きを行うための球抜き機構１２６と、球抜きを行う際にパチンコ球が排出される球抜き流路１２７と、払い出し装置１２４の下流の第２の流路１２８と、ベル１２９と、ベル１２９の下流の第３の流路１３０とより構成されている。
本実施の形態では２基の払い出し装置１２４はセーフ球の発生に基づいて所定量のパチンコ球（賞球）を払い出す。パチンコ球は第２の流路１２８を流下し途中ベル１２９に当接する。ベル１２９に当接したパチンコ球は第３の流路１３０を斜め下方（図９において左斜め下方）に導かれる。第３の流路１３０を流下したパチンコ球は基板取り付けベース１１内に至る。機構盤１０の背面を流下してきたパチンコ球はこの基板取り付けベース１１において前方に方向転換させられる。
【００２０】
図２、図４及び図８に示すように、機構盤１０の下方には基板取り付けベース１１が配設されている。基板取り付けベース１１は上下に配設されたヒンジ部１３１によって遊技機本体４に開閉可能に支持されており、図９において左方に配置された開閉ピン１３２の引き出し及び押し込みによって遊技機本体４に対して着脱可能とされている。図８、図２１及び図２２に示すように、基板取り付けベース１１には発射基板が収納される発射基板ボックス１１ａと、電源基板が収納される電源基板ボックス１１ｂが固着されている。図２３に示すように、払い出し基板が収納される払い出し基板ボックス１１ｃは着脱可能とされている。これは、不正防止の点から払い出し基板ボックス１１ｃのみを別途ユーザに供給する必要のためである。
図８、図２１及び図２２に示すように、基板取り付けベース１１の払い出し基板ボックス１１ｃの装着位置前面側には分岐ユニット６１が着脱可能に配設されている。分岐ユニット６１は払い出し装置１２４から流下するパチンコ球を遊技機本体４方向に導く際に上受け皿８方向と下受け皿１４と方向とのいずれかに分岐させる最初の分岐機構である。分岐ユニット６１は中空の全体として略方形の箱体として構成されており、内部は３つの通路に仕切られている。図２２において左方から順に主通路用中間通路１３５、バイパス通路用中間通路１３６及び球抜き流路用通路１３７とされている。主通路用中間通路１３５は前記主通路４７に連通されており、バイパス通路用中間通路１３６は前記バイパス通路４９に連通されている。尚、主通路用中間通路１３５内でパチンコ球のオーバーフローが生じた場合にはバイパス通路用中間通路１３６方向にバイパスされるようになっている。
【００２１】
ここに、基板取り付けベース１１は機構盤１０とは別体に構成されている。従来の機種では発射基板、電源基板及び払い出し基板は機構盤に配設されており、かつ必ずしもこのようにまとまってチェックしやすい下方位置に配置されているわけではない。本実施の形態でこのように基板取り付けベース１１を機構盤１０と別体に構成するようになった理由は主として１）従来の機構盤が大型化、重量化してきたこと、２）別体とすることでパチンコ遊技機の組み立て作業が迅速化すること、３）逆に再利用する際の取り外しの容易さ等の理由からである。
更に、本実施の形態ではパチンコ遊技機としてゲーム内容に関わらず共通性のある基板を基板取り付けベース１１に機構盤１０とは別体としてまとめることで、保守・点検がしやすくなった。また、このように基板取り付けベース１１を設けることができるのは上記のようにセーフ球処理装置を廃したことから遊技機本体４のパチンコ球処理領域２１に排出通路４６を移動させることができることになって機構盤１０位置のスペースに余裕ができたことによるものでもある。図８〜図１０に示すように、機構盤１０の上下幅は遊技盤５の上下幅とほぼ同等に構成されているため、機構盤１０を開放することによって基板取り付けベース１１は開放あるいは取り外しをしなくとも遊技盤５の保守・点検更に交換等の作業を行うことができる。
また、発射基板ボックス１１ａ、電源基板ボックス１１ｂ及び払い出し基板ボックス１１ｃを排出通路４６から隔絶することによってパチンコ球同士が接触する際に発生する静電気由来のノイズ（電気的信号）の影響を受け難くすることも基板取り付けベース１１を別体で構成する理由である。
【００２２】
次に、このように構成された本実施の形態のパチンコ遊技機の特にタンク９５へのパチンコ球の補給時の作用について説明する。
タンク９５内のパチンコ球が徐々に減っていくとする。しかし、図２０（ａ）のようにパチンコ球がタンク９５内においてレバー部材１１０（の本体１１２）を押圧してリミットスイッチ１２０のプッシュボタン１２１を押している限りはホールの島ごとにセットされたパチンコ球供給装置からの新たなパチンコ球の補給はない。一方、パチンコ球が図２１（ｂ）のようにレバー部材１１０（の本体１１２）に当接していない状態となるとプッシュボタン１２１はレバー部材１１０（の押圧部１１３）をその付勢力によって押し戻し、その結果としてプッシュボタン１２１は解放されるためリミットスイッチ１２０がオン状態とされる。このオン状態に基づく出力信号を受けてパチンコ球供給装置は新たなパチンコ球を補給する（本実施の形態では２５個×２回）。この補給された新たなパチンコ球は棚板１０５上に落下し、傾斜に従ってパチンコ球流出口１０４に向かって導かれる。
【００２３】
このように構成することで本実施の形態では次のような効果を奏する。
（１）リミットスイッチ１２０をタンク９５に取り付けないでよいためタンク９５の装着作業において従来のようなリミットスイッチ１２０に配線を導く作業をしなくてよくなるため作業の効率化に貢献しうる。特に従来ではリミットスイッチはタンクの裏面に配設していたため配線作業が面倒であったのがこれによって完全に解消されることとなった。
（２）第１の外部出力基板３６は一般にホールの島において天井側から垂下されている接続端子と接続させることからこのように上部位置に配設されている。一方、リミットスイッチ１２０は上部位置に配置されるタンク９５の近傍に配置されることとなる。その結果第１の外部出力基板３６とリミットスイッチ１２０とをごく接近させた位置に配置することができるようになっている。そのため第１の外部出力基板３６とリミットスイッチ１２０間の配線が長くなることがなくその結果断線等の配線に起因する故障が生じにくくなり配線自体の距離が短いことから作業も効率化する。
（３）遊技盤５に対して機構盤１０を開放するだけでリミットスイッチ収容部１１９に収容されたリミットスイッチ１２０を着脱可能に露出させることができる。そのためリミットスイッチ１２０の取り付け・交換作業が容易となり作業効率が向上する。
（４）リミットスイッチ１２０を別体としてタンク９５から離間させているもののこのリミットスイッチ１２０はタンク９５に装着されたレバー部材１１０とはごく近接した位置に配置されている。そしてレバー部材１１０の動作は間に何も介さずに直接的にリミットスイッチ１２０に伝達されるようになっている。この作動伝達機構は極めて簡素な構造であるため（リンク機構のような複雑な作動伝達機構ではないから）上部で故障しにくいものとなっている。
（５）レバー部材１１０はパチンコ球流出口１０４に対して上流位置に配置されているためリミットスイッチ１２０が球切れを検出した後においてもまだタンク９５やタンクレール９６には球が残るような時間配分が可能である。従って、従来の機種のようなタンク内やタンクレール内にまったくパチンコ球からっぽになってしまって直ちに賞球を払い出しできないという不具合が生じるおそれがなくなる。
（６）パチンコ球はタンク９５のパチンコ球流出口１０４からタンクレール９６にタンクレール９６を流下するパチンコ球の流れと交差する方向に落下するようになっている。つまり、タンク９５から落下したパチンコ球がタンクレール９６に沿って一気に流下していくようなことがないためタンクレール９６における球詰まりが生じにくくなる。
（７）レバー部材１１０は側方からパチンコ球に押動されてリミットスイッチ１２０を入切りするようになっている。従来ではレバー部材に相当する作動部材はタンク最下部のパチンコ球流出口に隣接して配設されており、パチンコ球の重量がかなりかかるためそれが破損の原因ともなっていた。このように構成したため重量が一気にかかることはなく破損しにくくなり、その結果必要以上の強度を与える必要もないためコストの削減ともなる。
（８）レバー部材１１０及びリミットスイッチ１２０は機構盤１０裏面側から正対した場合に容易に目視できる上部位置に配設されている。そのため、従来のようなタンクと機構盤の間やタンクの裏面にリミットスイッチを配設する場合に比べて作業効率が格段に良くなる。
（９）従来ではレバー部材（検出作動部材）とリミットスイッチ（検出装置）はともにタンクに装着されていた。これは主としてレバー部材の作動を確実にリミットスイッチに伝達させるため両者を離間させないようにとの発想によるものであった。しかし、リミットスイッチ単独での交換作業に支障があるため上記課題から帰結されるように別体としたいという要請が生まれた。
ここで、リミットスイッチ１２０のみを単独にタンク９５の外部に配置するとしたら、なるべくレバー部材１１０の近傍に配置したいと考えるはずである。というのは両者間の動作伝達は直接行われなくとも何らかの機械的手段を介して実行可能であるもののそれではかえって構成の複雑化を招来することとなってしまうからである。ところが従来ではレバー部材（検出作動部材）やリミットスイッチ（検出装置）は操作しにくい位置に配設されていたためリミットスイッチ（検出装置）のみをタンクから切り離してかつ近傍に配置するということは上記効果（８）からしても好ましくなかった。
本実施の形態ではレバー部材１１０をタンク９５の上流側に配置するようにしたため、リミットスイッチ１２０をその近傍に（リミットスイッチ収容部１１９内）に配置することが可能となり複雑な機構を介さずに動作伝達が可能となっている。更にこのような位置にリミットスイッチ１２０を配置することによって前記第１の外部出力基板３６ともごく近接した位置に配置されることとなり（これらは近接した略水平位置に配置される）球切れ検出に関する機構が無理なく最適な位置に配置されることとなる。
（１０）レバー部材１１０はパチンコ球に押動されても回動が阻止されて必要以上にリミットスイッチ１２０のプッシュボタン１２１を押動することがない。その結果、リミットスイッチ１２０に負荷がかかりすぎることがなくリミットスイッチ１２０に故障が生じにくくなる。
（１１）レバー部材１１０はプッシュボタン１２１に押動されて回動する方向（図２０（ａ）では反時計方向）へは所定の回動（リミットスイッチ１２０の入切りが可能な程度の回動）以上に回動することが規制されている。例えばはタンク９５内側に大きく回動できるとするとパチンコ球が回動したはずみに挟まってしまう可能性がある。本実施の形態では本体１１２と短壁１０２ｂの間にパチンコ球が挟まるほどにはレバー部材１１０は回動されないためこのような不具合が生じることはない。
（１２）レバー部材１１０は短壁１０２ｂ上端の軸受け１１６によって支持されている。すなわち軸受け１１６及びこれに支持される回転軸部１１１はタンク９５内から外方に突出しているためタンク９５内のスペースを圧迫することがない。
（１３）レバー部材１１０の本体１１２は左右幅及び上下幅とも大きく右側短壁１０２ｂの内面に配設されている。このようにパチンコ球によって押圧される部分が広範囲に及んでいるためタンク９５内に十分パチンコ球があるにもかかわらず球切れであると認識されてしまうような不具合がなくなる。
【００２４】
尚、この発明は、次のように変更して具体化することも可能である。
・上記実施の形態ではレバー部材１１０は短壁１０２ｂに装着されていたが、パチンコ球流出口１０４よりも上流側であれば例えばタンク９５の底部１０１や長壁１０２ａに装着するようにしても構わない。
・タンク９５とレバー部材１１０の材質は同じ（例えばポリカーボネート樹脂とする）で構成しても異なっていても（例えばレバー部材１１０をＡＢＳ樹脂とする）構わない。
・上記実施の形態では検出装置としてリミットスイッチ１２０を用いたがリミットスイッチ１２０以外の検出装置（例えば近接スイッチ、光センサ等）でもよい。また、配置位置も上記実施の形態に限定されるこのではない。
・上記では検出作動手段としてのレバー部材１１０を介して検出装置としてのリミットスイッチ１２０にパチンコ球の有無の検出をさせるようにしていたが、検出作動手段がなくとも検出装置にパチンコ球の有無の検出をさせることも可能である。例えばタンク９５の短壁１０２ｂにパチンコ球が落下しない程度の大きさの開口部を設け、この開口部を介してパチンコ球が外部の検出装置に当接するようになっていてもよい。尚、検出装置にパチンコ球が直接当接しないように開口部に別素材の樹脂等を介在せるようにしてもよい。
また、検出装置を近接スイッチとしてタンク９５の短壁１０２ｂを介してパチンコ球の有無を検出するようになっていてもよい。この場合にタンク９５がポリカーボネート樹脂のような磁性体であると近接スイッチの精度に影響があるので他の樹脂、あるいは検出部分のみを開口部としたり開口部において別素材の樹脂等を介在せるようにしてもよい。
・図２３に示すように、レバー部材１１０の本体１１２には下端からタンク９５内部に延出する棚１４０を形成するようにしてもよい。
このようにするとレバー部材１１０は側方からだけではなく棚１４０に乗り上げたパチンコ球によっても押動されることとなり球切れ検出の精度が向上する。  ・上記実施の形態ではレバー部材１１０は上方から吊り下げられていたが、逆にタンク９５下部寄りに軸受けを設け回動軸部をこれに装着して本体１１２を上方に向かって延出させるようにしてもよい。すなわち、パチンコ球の有無を上方側（ここでは短壁１０２ｂ上部寄り）で検出するようにするわけである。このようにすればタンク９５下部寄りで球切れを検出する場合に比べてより早いもっとタンク９５にパチンコ球が十分ある段階で球切れを検出することとなり早め早めにパチンコ球が補充されるのでより球切れとなりにくくなる。
・上記実施の形態ではレバー部材１１０は上方から吊り下げられ短壁１０２ｂ上端の軸受け１１６によって揺動するようになっていたが、軸受け１１６を切り欠き１０９に沿って上下方向に配置して例えば扉のように横方向に揺動するようにしても構わない。
・図２４に示すようにリミットスイッチ１２０と第２の外部出力基板１２３との間を接続するケーブル１４１を機構盤１０に形成した開口部１４２から機構盤１０裏面側に引き出して第２の外部出力基板１２３に接続させるように構成してもよい。この際に開口部１４２は十分大きく形成されているため作業者はリミットスイッチ１２０を装着した前面側から操作してケーブル１４１を第２の外部出力基板１２３側のコネクタ１４３に容易に挿入させることができる。そのため特にパチンコ遊技機の製造時（製造ライン）において機構盤１０に各種構成部材を組み付ける際にリミットスイッチ１２０を装着と同時に第２の外部出力基板１２３にコネクタ１４３も装着できることとなり何度も機構盤１０を反転させる必要がないので作業効率が向上する。また、図示のようにコネクタ１４３は開口部１４２寄りの第２の外部出力基板１２３端面に形成されているため作業は行いやすい。
尚、上記実施の形態における開口部１００を利用して装着することも可能である。
・分岐ユニット６１は基板取り付けベース１１に交換可能に装着され、この基板取り付けベース１１を介して遊技機本体４側に装着されるようになっていた。しかし、分岐ユニット６１を直接遊技機本体４側に交換可能に装着するようにしてもよい。ここに従来では機構盤と遊技機本体との間に若干形成される隙間から異物を挿入し、この分岐ユニットに不正をする可能性があった。しかし、このように構成すると分岐ユニットが直接遊技機本体４側に形成されるためこのような不正が生じにくくなる。
・タンク９５の形状は一例であって上記実施の形態に限定されるものではない。
・本実施の形態とは異なる従来の普通の遊技面を備えた機種に応用しても構わない。
・本実施の形態はいわゆる現金機以外のＣＲ機にも応用可能である。
・封入式のパチンコ遊技機であっても適用は可能である。このようなスタイルのパチンコ遊技機もパチンコホールにおいて各島ごとにセットされたパチンコ球供給装置からパチンコ球の供給を受けうるからである。
・本発明はいわゆるパチロットと呼称されるパチンコ球を使ってのスロットマシンに応用するようにしてもよい。
その他、本発明の趣旨を逸脱しない態様で実施することは自由である。
【００２５】
本発明の目的を達成するために上記実施の形態から把握できるその他の技術的思想について下記に付記として説明する。
（１）請求項１において前記パチンコ球受け皿を前記扉枠と一体化してあるいは単独で前記遊技台に対して開閉可能に支持されるようにしたことを特徴とする遊技機。
（２）請求項１又は付記１において前記タンクは遊技台の背面に配設された機構盤に装着されることを特徴とする遊技機。
（３）付記２において前記機構盤には払い出し機構が形成されていることを特徴とする遊技機。
（４）請求項１並びに付記１〜３のいずれかにおいて前記タンクの下方にはパチンコ球流出口から落下したパチンコ球を前記払い出し機構に導くレール部材（タンクレール）が配設されていることを特徴とする遊技機。
これによってパチンコ球はタンクからレール部材に導かれて払い出し機構に至ることになるため、ある程度のパチンコ球がレール部材に貯留されることとなるとともにパチンコ球を整列させて払い出し機構に導くことができる。
（５） 付記４において前記タンクのパチンコ球流出口から前記レール部材に落下するパチンコ球は同レール部材を流下するパチンコ球と略直交する方向から流入することを特徴とする遊技機。
これによってタンクから落下したパチンコ球がレール部材に沿って一気に流下していくようなことがないためレール部材における球詰まりが生じにくくなる。（６）請求項１並びに付記１〜５のいずれかにおいて前記タンク内に落下するパチンコ球は一旦前記パチンコ球流出口から離間する方向に誘導されてからタンク底部の傾斜に従って同パチンコ球流出口方向に導かれることを特徴とする遊技機。
これによってパチンコ球が一気にパチンコ球流出口に向かわず分散するため球詰まりが生じにくくなる。
（７）請求項１並びに付記１〜６のいずれかにおいて前記検出装置はタンクに近接した位置に配設されることを特徴とする遊技機。
近接（つまり近傍にある）させることで検出作動部材やパチンコ球との伝達経路が短くなって故障が生じにくくなる。
（８）請求項１並びに付記１〜６のいずれかにおいて前記検出装置はパチンコ球によって状態変化する検出作動部材と直接干渉して作動させられることを特徴とする遊技機。
（９）付記８においてタンクと検出作動部材とは別材質であることを特徴とする遊技機。
（１０）請求項７〜９のいずれかにおいて前記検出装置は遊技機外のパチンコ球供給装置を駆動させ得る外部出力基板と前記検出作動部材との間に配置されていることを特徴とする遊技機。
検出装置は検出作動部材及び外部出力基板のいずれとも伝達経路が短くなって故障が生じにくくなる。
（１１）付記１０において前記外部出力基板は機構盤の上部位置に配設されていることを特徴とする遊技機。
これによって検出作動部材と検出装置と外部出力基板とは上方の略水平位置に配置されることとなって球切れ検出に関する機構が無理なく最適な位置に配置されることとなる。
（１２）請求項１並びに付記１〜１１のいずれかにおいて前記検出装置は機構盤に一体的に形成された収納部内に収納されていることを特徴とする遊技機。
これによって検出装置は埃や衝撃から保護されることとなる。収納部は収納した検出装置の着脱がしやすいように機構盤の裏面側において大きく開口しており、機構盤を閉塞した状態では検出装置は内部に封塞されるものの機構盤を開放した状態では容易に着脱作業が可能となっている。
（１３）請求項１並びに付記１〜１２のいずれかにおいて前記検出作動部材はパチンコ球によって押動されるレバー部材であって同レバー部材はパチンコ球によって押動されて外方に配置された検出装置の入力スイッチを直接入力することを特徴とする遊技機。
これによってレバー部材の検出装置の入力スイッチに対する駆動伝達系統が直接されるため構造が簡単となる。
（１４）付記１３において前記レバー部材は立設された壁部に装着されていることを特徴とする遊技機。
これによってレバー部材はパチンコ球によって側方から押動されるだけで従来のように貯留されたパチンコ球の重量が一気にかかるということがないのでレバー部材の故障や破損が少なくなる。
（１５）付記１３又は付記１４において前記レバー部材は前記タンク内のパチンコ球の上方からの重量を支持する棚部材を形成していることを特徴とする遊技機。これによってレバー部材は棚部材上に乗り上げたパチンコ球によっても押動されることとなり球切れ検出の精度が向上する。
（１６）付記１３〜付記１５のいずれかにおいて前記レバー部材はパチンコ球によって押動される際に所定の範囲内での移動のみが許容されることを特徴とする遊技機。  このように所定範囲内での移動のみが許容されることで不必要に検出作動部材を押圧したり間にパチンコ球を噛ませたりするような不具合を避けることが可能となる。
（１７）付記１６において前記レバー部材はパチンコ球がタンクと同レバー部材の間に挟まれない程度にのみ移動のみが許容されることを特徴とする遊技機。
これによってレバー部材とタンクとの間にパチンコ球を噛ませたりするような不具合を避けることが可能となる。
（１８）付記１３〜１７のいずれかにおいて前記レバー部材はその軸部を介して前記タンク上方に配置された軸受けにて回動可能に吊り下げ支持されていることを特徴とする遊技機。従ってレバー部材１１０はタンク９５底部のパチンコ球による押動によって作動させられることとなる。
（１９）付記１８において前記軸受けは前記タンク上端位置にあることを特徴とする遊技機。
これによってレバー部材がタンク内のスペースを圧迫することが少なくなる。（２０）付記１３〜付記１７のいずれかにおいて前記レバー部材の回動軸はタンクの壁に沿って鉛直方向に配設されていることを特徴とする遊技機。このようにすれは回動軸が突出せずタンクがコンパクトになる。
（２１）請求項１並びに付記１〜１２のいずれかにおいて検出装置はタンクに形成された開口部を介して直接パチンコ球によってオン又はオフ状態となりその状態の違いによりパチンコ球の有無を検出することを特徴とする遊技機。
パチンコ球が開口部から露出する場合と逆に検出装置側が開口部から内部にパチンコ球に検出部を挿入する場合が考えられる。これによって球切れ検出機構付近の構造がより簡略化される。
（２２）請求項１並びに付記１〜１２のいずれかにおいて検出装置はタンクの厚みを通して内部のパチンコ球を検出することを特徴とする遊技機。
例えば近接センサを用いてタンク内部のパチンコ球の有無をタンクの壁面を介して検出するような場合である。これによって球切れ検出機構付近の構造がより簡略化される。
（２３）請求項１並びに付記１〜２２のいずれかにおいて前記検出装置へ電力を供給する出力端子は同検出装置に隣接する位置に配設されていることを特徴とする遊技機。
これによって検出装置との間の配線が短くなって作業効率が向上する。
（２４）請求項１並びに付記１〜２３のいずれかにおいて前記検出装置からの検出信号を外部に配信する出力端子は同検出装置に隣接する位置に配設されていることを特徴とする遊技機。
これによって検出装置との間の配線が短くなって作業効率が向上する。
（２５）付記１２〜２４のいずれかにおいて機構盤に形成された前記収容部は同時にタンク固定用のベースとなることを特徴とする遊技機。すなわち、機構盤の前面（収容部内）に検出装置が配設され機構盤の裏面（収容部の裏）に配設されたタンクの取り付け部材が機構盤を挟んで前後に重複状態で配置されることとなる。このように配置することでスペース的に制限されている機構盤において効率的なスペース利用が図られることとなる。
（２６）請求項１並びに付記１〜２５のいずれかにおいて前記機構盤の前面側に配置された検出装置と同機構盤の裏面側に配置された外部出力基板との間を接続するケーブルを同機構盤の前面側からの同ケーブルの装着作業が可能なように同機構盤に開口部を形成したことを特徴とする遊技機。
このようにすれば作業者は検出装置前面側から操作してケーブル外部出力基板側に容易に装着させることができる。
（２７）上記請求項１を次のように限定すること。
支持枠体に支持され遊技者が対面して遊技を行う遊技面を備えた遊技台と、
同遊技台に対して開閉可能に支持され同遊技面の前方に配置される扉枠と、
外部から供給されるパチンコ球を貯留するとともに下流位置に形成されたパチンコ球流出口から同パチンコ球を払い出し機構に導くタンクと、
同払い出し機構を経由して貸与されるパチンコ球に基づいて遊技者が前記遊技面にて所定の遊技を享受できるようにした遊技機において、
前記タンク内のパチンコ球流出口から離間した上流位置にタンク内のパチンコ球の接離によってその状態が変化する検出作動部材を配置し、同検出作動部材の状態変化に基づいて同タンクの外部位置に配設された検出装置をオン又はオフ状態としパチンコ球の有無を検出するようにしたことを特徴とする遊技機。
このような構成では、タンク内の球流出口から離間した上流位置に配置された検出作動部材はタンク内のパチンコ球が接触あるいは接近することによってその状態が変化することとなる。状態の変化とは例えばパチンコ球に押されたり磁力によって引きつけられたりすることが考えられる。このような検出作動部材の状態変化がタンクの外部位置に配設された検出装置に伝達されて検出装置はオン又はオフ状態となりその状態の違いによりパチンコ球の有無を検出する。
これによって、検出装置をタンクの検出作動部材と連動しうる外部位置に配置させたためタンク自体に検出装置を配設することがなくなりタンクの装着作業及び検出装置の交換作業における作業効率が向上する。
（２８）上記請求項１並びに付記１〜２０における遊技機について以下のパチンコ遊技機に適用すること
支持枠体に支持され遊技者が対面して遊技を行う遊技面を備えた遊技台と、同遊技台に対して開閉可能に支持され同遊技面の前方に配置される扉枠と、  外部から供給されるパチンコ球を貯留するとともに下流位置に形成されたパチンコ球流出口から同パチンコ球を払い出し機構に導くタンクと、同扉枠の下方位置に配置され払い出し機構から供給されるパチンコ球を貯留するパチンコ球受け皿と、同パチンコ球受け皿から供給されるパチンコ球を遊技面に向かって発射する発射機構とを備えたパチンコ遊技機。
これは特にパチンコ遊技機を念頭において限定した内容である。
【００２６】
【図面の簡単な説明】
【図１】  本発明の実施の形態のパチンコ遊技機の開放した状態を示す概略斜視図。
【図２】  同じパチンコ遊技機の分解側面図。
【図３】  同じパチンコ遊技機の正面図。
【図４】  同じパチンコ遊技機の側面図。
【図５】  同じパチンコ遊技機の遊技盤の正面図。
【図６】  同じパチンコ遊技機の遊技機本体の上半身の正面図。
【図７】  同じパチンコ遊技機の遊技機本体の上半身の側断面図。
【図８】  同じパチンコ遊技機の背面図。
【図９】  同じパチンコ遊技機の機構盤を外した状態の背面図。
【図１０】  図１０においてメイン基板周辺を取り外した状態の背面図。
【図１１】  同じパチンコ遊技機のパチンコ球処理領域付近の斜め上方からの斜視図。
【図１２】  遊技機本体の背面側の導入口から前面の導出口にいたる通路の断面図。
【図１３】  同じパチンコ遊技機の主通路、バイパス通路及び導出口の断面図。
【図１４】  同じパチンコ遊技機の上受け皿の断面図。
【図１５】  同じパチンコ遊技機の機構盤とタンク及びタンクレールの分解斜視図。
【図１６】  同じパチンコ遊技機の機構盤の平面図。
【図１７】  （ａ）はレバー部材におけるタンク内に露出する側の斜視図、（ｂ）はタンク外に露出する側の斜視図。
【図１８】  タンクの部分斜視図。
【図１９】  機構盤のリミットスイッチ収容部付近の拡大断面図。
【図２０】  リミットスイッチのオン・オフ状態を説明する説明図であって、（ａ）はレバー部がパチンコ球に押動されている状態、（ｂ）は押動が解除された状態。
【図２１】  同じパチンコ遊技機の基板取り付けベースの斜視図。
【図２２】  分岐ユニット周辺の切り欠き背面図。
【図２３】  他の実施の形態のレバー部材の斜視図。
【図２４】  他の実施の形態のリミットスイッチのケーブル取り付け状態を説明する説明図。
【符号の説明】  １…支持枠体としての外枠、４…遊技台としての遊技機本体、５…遊技盤、７…扉枠、８…上受け皿、１４…下受け皿、２０…遊技面、９５…タンク、１０４…パチンコ球流出口、１２０…検出装置としてのリミットスイッチ、１１０…検出作動部材としてのレバー部材。